(57)【特許請求の範囲】
【請求項１】
集合住宅の集合玄関に設置される集合玄関機（１）と、前記集合住宅の住戸内にそれぞれ設置される複数のインターホン親機（２）と、前記集合玄関機から前記インターホン親機への呼出データ等の制御信号の伝送、前記集合玄関機にて生成される映像信号の前記インターホン親機への伝送、前記集合玄関機および前記インターホン親機間で成立される通話時における音声信号の送受信をそれぞれ制御するための制御機（３）と、前記インターホン親機毎に設けられ前記制御信号、前記音声信号および前記映像信号のそれぞれの信号伝送路を形成するための複数の分岐器（４）とを備える集合住宅インターホンシステムにおいて、
前記制御機には、分岐器ライン（Ｌ２）を経由して最前段の当該分岐器（４ａ）から最後段の当該分岐器（４ｚ）まで順次接続され、
前記インターホン親機は、前記集合玄関機にて生成された映像信号を出画させるための映像出画制御信号を生成する映像制御データ生成回路（２１）を備え、
前記分岐器は、前記集合玄関機から前記制御機、前記分岐器ラインを経由して伝送されてくる映像信号を親機ライン（Ｌ４）を経由して自分岐器に接続される当該インターホン親機に送出するためにオン状態となる親機側映像伝送スイッチ（４２ａ、４２ｂ）と、前記分岐器ラインを経由して後段側の当該分岐器に前記映像信号を送出するためにオン状態となる後段側映像伝送スイッチ（４３ａ、４３ｂ）と、前記親機側映像伝送スイッチおよび前記後段側映像伝送スイッチのオン／オフ状態をそれぞれ切換えるための分岐器制御回路（４４）と、前記後段側映像伝送スイッチがオフ状態のとき、前記分岐器ラインが有するインピーダンスの整合を図り当該インピーダンスの乱れを抑えるための後段側インピーダンス整合回路（４５）とを備え、
前記分岐器制御回路は、前記インターホン親機の前記映像制御データ生成回路にて生成された前記映像出画制御信号を検出したとき、前記親機側映像伝送スイッチをオン状態に切換るとともに、前記後段側映像伝送スイッチをオフ状態に切換えることを特徴とする集合住宅インターホンシステム。
【請求項２】
集合住宅の集合玄関に設置される集合玄関機（１）と、前記集合住宅の住戸内にそれぞれ設置される複数のインターホン親機（２）と、前記集合玄関機から前記インターホン親機への呼出データ等の制御信号の伝送、前記集合玄関機にて生成される映像信号の前記インターホン親機への伝送、前記集合玄関機および前記インターホン親機間で成立される通話時における音声信号の送受信をそれぞれ制御するための制御機（３）と、前記インターホン親機毎に設けられ前記制御信号、前記音声信号および前記映像信号のそれぞれの信号伝送路を形成するための複数の分岐器（４）とを備える集合住宅インターホンシステムにおいて、
前記制御機には、分岐器ライン（Ｌ２）を経由して最前段の当該分岐器（４ａ）から最後段の当該分岐器（４ｚ）まで順次接続され、
前記インターホン親機は、前記集合玄関機にて生成された映像信号を出画させるための映像出画制御信号を生成する映像制御データ生成回路（２１）を備え、
前記分岐器は、前記集合玄関機から前記制御機、前記分岐器ラインを経由して伝送されてくる映像信号を親機ライン（Ｌ４）を経由して自分岐器に接続される当該インターホン親機に送出するためにオン状態となる親機側映像伝送スイッチ（４２ａ、４２ｂ）と、前記分岐器ラインを経由して後段側の当該分岐器に前記映像信号を送出するためにオン状態となる後段側映像伝送スイッチ（４３ａ、４３ｂ）と、前記親機側映像伝送スイッチおよび前記後段側映像伝送スイッチのオン／オフ状態をそれぞれ切換えるための分岐器制御回路（４４）と、前記親機側映像伝送スイッチがオフ状態のとき、前記親機ラインが有するインピーダンスの整合を図り当該インピーダンスの乱れを抑えるための親機側インピーダンス整合回路（４６）とを備え、
前記分岐器制御回路は、前記インターホン親機の前記映像制御データ生成回路にて生成された前記映像出画制御信号を検出したとき、前記親機側映像伝送スイッチをオン状態に切換るとともに、前記後段側映像伝送スイッチをオフ状態に切換えることを特徴とする集合住宅インターホンシステム。
【請求項３】
前記制御機には、前記集合住宅の管理室に設置される管理室親機（５）が接続され、
前記分岐器は、前記親機側映像伝送スイッチがオフ状態のとき、前記管理室親機からの一斉放送データ等の信号の信号伝送路を形成し、前記親機ラインに送出するための信号伝送路形成回路（４７ａ、４７ｂ）を備え、
前記信号伝送路形成回路は、前記親機側映像伝送スイッチに並列接続されることを特徴とする請求項１又は請求項２記載の集合住宅インターホンシステム。
【請求項４】
前記分岐器は、前記親機側映像伝送スイッチがオフ状態のとき、前記集合玄関機からの前記映像信号に重畳される前記音声信号、又は、前記映像信号に重畳される前記制御信号および前記音声信号の信号伝送路を形成し、前記親機ラインに送出するための親機側制御伝送路形成回路（４８ａ、４８ｂ）を備え、
前記親機側制御伝送路形成回路は、前記親機側映像伝送スイッチに並列接続されることを特徴とする請求項１又は請求項２記載の集合住宅インターホンシステム。
【請求項５】
前記分岐器は、前記後段側映像伝送スイッチがオフ状態のとき、前記集合玄関機からの前記映像信号に重畳される前記音声信号、又は、前記映像信号に重畳される前記制御信号および前記音声信号の信号伝送路を形成し、前記分岐器ラインに送出するための後段側制御伝送路形成回路（４９ａ、４９ｂ）を備え、
前記後段側制御伝送路形成回路は、前記後段側映像伝送スイッチに並列接続されることを特徴とする請求項１又は請求項２記載の集合住宅インターホンシステム。
【発明の詳細な説明】
【技術分野】
【０００１】
本発明は、マンション等の集合住宅に設置される集合住宅インターホンシステムに係り、特に、分岐器における映像信号の減衰を抑えることができる集合住宅インターホンシステムに関する。
【背景技術】
【０００２】
従来から、この種の集合住宅インターホンシステムとして、集合住宅の集合玄関に設置される集合玄関機と、集合住宅の住戸内にそれぞれ設置される複数のインターホン親機と、集合玄関機からインターホン親機への呼出データ等の制御信号の伝送、集合玄関機にて生成される映像信号のインターホン親機への伝送、集合玄関機およびインターホン親機間で成立される通話時における音声信号の送受信をそれぞれ制御するための制御機と、インターホン親機毎に設けられ制御信号、音声信号および映像信号のそれぞれの信号伝送路を形成するための複数の分岐器とを備えるものが知られている（例えば、特許文献１等）。
【０００３】
しかしながら、このような構成の集合住宅インターホンシステムにおいては、集合玄関機にて生成される映像信号は、分岐器のトランスで構成される映像信号分岐回路および親機ラインを介してインターホン親機に伝送されるため、分岐器の映像信号分岐回路において映像信号がたとえば、−２０ｄＢ程度減衰するという難点があった。
【０００４】
また、分岐器の映像信号分岐回路は、常時分岐器ラインを介して制御機に接続されていることから、映像信号がたとえば、−１ｄＢ程度減衰するという難点もあった。
【０００５】
このため、このような構成の集合住宅インターホンシステムにおいては、映像信号の減衰を考慮して、インターホン親機の受信感度に応じてインターホン親機の接続台数を制限させるか、映像信号を増幅させる機器、たとえば、映像信号を＋２０ｄＢ程度増幅させる機器を別途配置しなければならないという難点があった。
【０００６】
つまり、従来の集合住宅インターホンシステムにおいては、システムの規模が制限されたり、映像信号を増幅させる機器を別途配置しなければならないことから割高になり、また、システムが構築される物件によっては、映像信号を増幅させる機器の配置スペースがなく、ひいてはシステム構築ができない場合も生じてしまうという難点があった。
【先行技術文献】
【特許文献】
【０００７】
【特許文献１】特開２００８−３５４０８号公報
【発明の概要】
【発明が解決しようとする課題】
【０００８】
本発明は、上述の難点を解消するためになされたもので、特に分岐器において映像信号の減衰を抑えることができる集合住宅インターホンシステムを提供することを目的としている。
【課題を解決するための手段】
【０００９】
本発明の第１の態様である集合住宅インターホンシステムは、集合住宅の集合玄関に設置される集合玄関機と、集合住宅の住戸内にそれぞれ設置される複数のインターホン親機と、集合玄関機からインターホン親機への呼出データ等の制御信号の伝送、集合玄関機にて生成される映像信号のインターホン親機への伝送、集合玄関機およびインターホン親機間で成立される通話時における音声信号の送受信をそれぞれ制御するための制御機と、インターホン親機毎に設けられ制御信号、音声信号および映像信号のそれぞれの信号伝送路を形成するための複数の分岐器とを備える集合住宅インターホンシステムにおいて、制御機には、分岐器ラインを経由して最前段の当該分岐器から最後段の当該分岐器まで順次接続され、インターホン親機は、集合玄関機にて生成された映像信号を出画させるための映像出画制御信号を生成する映像制御データ生成回路を備え、分岐器は、集合玄関機から制御機、分岐器ラインを経由して伝送されてくる映像信号を親機ラインを経由して自分岐器に接続される当該インターホン親機に送出するためにオン状態となる親機側映像伝送スイッチと、分岐器ラインを経由して後段側の当該分岐器に映像信号を送出するためにオン状態となる後段側映像伝送スイッチと、親機側映像伝送スイッチおよび後段側映像伝送スイッチのオン／オフ状態をそれぞれ切換えるための分岐器制御回路と、後段側映像伝送スイッチがオフ状態のとき、分岐器ラインが有するインピーダンスの整合を図り当該インピーダンスの乱れを抑えるための後段側インピーダンス整合回路とを備え、分岐器制御回路は、インターホン親機の映像制御データ生成回路にて生成された映像出画制御信号を検出したとき、親機側映像伝送スイッチをオン状態に切換るとともに、後段側映像伝送スイッチをオフ状態に切換えるものである。
【００１０】
また、本発明の第２の態様である集合住宅インターホンシステムは、集合住宅の集合玄関に設置される集合玄関機と、集合住宅の住戸内にそれぞれ設置される複数のインターホン親機と、集合玄関機からインターホン親機への呼出データ等の制御信号の伝送、集合玄関機にて生成される映像信号のインターホン親機への伝送、集合玄関機およびインターホン親機間で成立される通話時における音声信号の送受信をそれぞれ制御するための制御機と、インターホン親機毎に設けられ制御信号、音声信号および映像信号のそれぞれの信号伝送路を形成するための複数の分岐器とを備える集合住宅インターホンシステムにおいて、制御機には、分岐器ラインを経由して最前段の当該分岐器から最後段の当該分岐器まで順次接続され、インターホン親機は、集合玄関機にて生成された映像信号を出画させるための映像出画制御信号を生成する映像制御データ生成回路を備え、分岐器は、集合玄関機から制御機、分岐器ラインを経由して伝送されてくる映像信号を親機ラインを経由して自分岐器に接続される当該インターホン親機に送出するためにオン状態となる親機側映像伝送スイッチと、分岐器ラインを経由して後段側の当該分岐器に映像信号を送出するためにオン状態となる後段側映像伝送スイッチと、親機側映像伝送スイッチおよび後段側映像伝送スイッチのオン／オフ状態をそれぞれ切換えるための分岐器制御回路と、親機側映像伝送スイッチがオフ状態のとき、親機ラインが有するインピーダンスの整合を図り当該インピーダンスの乱れを抑えるための親機側インピーダンス整合回路とを備え、分岐器制御回路は、インターホン親機の映像制御データ生成回路にて生成された映像出画制御信号を検出したとき、親機側映像伝送スイッチをオン状態に切換るとともに、後段側映像伝送スイッチをオフ状態に切換えるものである。
【００１１】
また、本発明の第３の態様である集合住宅インターホンシステムは、本発明の第１の態様又は第２の態様において、制御機には、集合住宅の管理室に設置される管理室親機が接続され、分岐器は、親機側映像伝送スイッチがオフ状態のとき、管理室親機からの一斉放送データ等の信号の信号伝送路を形成し、親機ラインに送出するための信号伝送路形成回路を備え、信号伝送路形成回路は、親機側映像伝送スイッチに並列接続されるものである。
【００１２】
また、本発明の第４の態様である集合住宅インターホンシステムは、本発明の第１の態様又は第２の態様において、分岐器は、親機側映像伝送スイッチがオフ状態のとき、集合玄関機からの映像信号に重畳される音声信号、又は、映像信号に重畳される制御信号および音声信号の信号伝送路を形成し、親機ラインに送出するための親機側制御伝送路形成回路を備え、親機側制御伝送路形成回路は、親機側映像伝送スイッチに並列接続されるものである。
【００１３】
また、本発明の第５の態様である集合住宅インターホンシステムは、本発明の第１の態様又は第２の態様において、分岐器は、前記後段側映像伝送スイッチがオフ状態のとき、集合玄関機からの映像信号に重畳される音声信号、又は、映像信号に重畳される制御信号および音声信号の信号伝送路を形成し、分岐器ラインに送出するための後段側制御伝送路形成回路を備え、後段側制御伝送路形成回路は、後段側映像伝送スイッチに並列接続されるものである。
【発明の効果】
【００１４】
本発明の集合住宅インターホンシステムによれば、分岐器に従来のトランスから成る映像信号分岐回路に代えて、映像信号が減衰しにくいリレー等の部品（例えば１ｄＢ程度）から成る親機側映像伝送スイッチや後段側映像伝送スイッチを搭載していることから、集合玄関機から制御機、分岐器ラインを経由して分岐器に伝送されてくる映像信号の減衰を大幅に抑えることができる。
【図面の簡単な説明】
【００１５】
【図１】本発明の一実施例における集合住宅インターホンシステムの構成を示すシス    テム構成図。
【図２】本発明の集合住宅インターホンシステムにおけるインターホン親機の構成を    示すブロック図。
【図３】本発明の集合住宅インターホンシステムにおける複数の分岐器のうち、最後    段の分岐器の構成を示すブロック図。
【図４】本発明の集合住宅インターホンシステムにおける複数の分岐器のうち、最後    段の分岐器を除く分岐器の構成を示すブロック図。
【発明を実施するための形態】
【００１６】
以下、本発明の集合住宅インターホンシステムを適用した好ましい実施の形態例について、図面を参照して詳述する。
「実施例１」
図１は、本発明の第１の実施例における集合住宅インターホンシステムのシステム構成図を示している。
【００１７】
同図において、本発明の集合住宅インターホンシステムは、集合住宅の集合玄関に設置される集合玄関機１と、集合住宅の住戸内にそれぞれ設置される複数のインターホン親機２と、集合玄関機からインターホン親機への呼出データ等の制御信号の伝送、集合玄関機にて生成される映像信号のインターホン親機への伝送、集合玄関機およびインターホン親機間で成立される通話時における音声信号の送受信をそれぞれ制御するための制御機３と、インターホン親機毎に設けられ制御信号、音声信号および映像信号のそれぞれの信号伝送路を形成するための複数の分岐器４と、集合住宅の管理室に設置される管理室親機５とを備えており、集合玄関機１は、来訪者を撮像するためのカメラ１１、タッチパネルやテンキーなどから成る呼出操作部１２、マイク１３およびスピーカ１４の各部を備えている。
【００１８】
ここで、制御機３は、集合玄関機ラインＬ１を介して集合玄関機１に、分岐ラインＬ２を介して各分岐器４に、管理室親機ラインＬ３を介して管理室親機５にそれぞれ接続され、各分岐器４にはそれぞれ親機ラインＬ４を介してインターホン親機２が接続されている。
【００１９】
複数のインターホン親機２は、それぞれ同様の構成とされ、それぞれ、図２に示すように、集合玄関機１にて生成された映像信号を出画させるための映像出画制御信号を生成する映像制御データ生成回路２１、変調された映像信号を復調する復調回路２２、居住者が集合玄関機１からの呼出に応じて来訪者の映像を出画させるためのモニタ２３、集合玄関機１の送受話機能または管理室親機５の送受話機能との間でハンズフリー通話を行うための音声（送話音声、受話音声）を入出力する親機マイク２４および親機スピーカ２５、通話回路２６、フィルタ回路２７、操作部２８および当該インターホン親機の各部（回路）を制御するための親機ＣＰＵ２９を備えている。
【００２０】
ここで、親機ＣＰＵ２９は映像制御データ生成回路２１、復調回路２２、モニタ２３、親機スピーカ２５、通話回路２６、フィルタ回路２７および操作部２８に接続され、復調回路２２にはモニタ２３が、通話回路２６には親機マイク２４、親機スピーカ２５およびフィルタ回路２７がそれぞれ接続されている。また、親機ラインＬ４は第１、第２の親機ラインＬ４ａ、Ｌ４ｂを備えており、第１の親機ラインＬ４ａは映像制御データ生成回路２１に接続され、第２の親機ラインＬ４ｂは復調回路２２およびフィルタ回路２７に接続されている。
【００２１】
図３は最後段の分岐器４（以下、「最後段分岐器４ｚ（図１参照）」という。）のブロック図を示している。同図においては、最後段分岐器４ｚは、当該最後段分岐器４ｚに接続されたインターホン親機２（以下、「最後段インターホン親機２ｚ（図１参照）」という。）から送信される映像路制御信号を受信する映像路制御信号受信回路４１と、第１、第２の切替接点Ｐ１、Ｐ２および共通接点Ｐ０を有する第１、第２の親機側映像伝送スイッチ４２ａ、４２ｂと、第１、第２の切替接点Ｐ１、Ｐ２および共通接点Ｐ０を有する第１、第２の後段側映像伝送スイッチ４３ａ、４３ｂと、第１、第２の親機側映像伝送スイッチ４２ａ、４２ｂおよび第１、第２後段側映像伝送スイッチ４３ａ、４３ｂのオン／オフ状態をそれぞれ切換えるための分岐器制御回路４４と、第１、第２の後段側映像伝送スイッチ４３ａ、４３ｂがオフ状態のとき、分岐器ラインＬ２が有するインピーダンスの整合を図り当該インピーダンスの乱れを抑えるための後段側インピーダンス整合回路４５と、第１、第２の親機側映像伝送スイッチ４２ａ、４２ｂがオフ状態のとき、親機ラインＬ４が有するインピーダンスの整合を図り当該インピーダンスの乱れを抑えるための親機側インピーダンス整合回路４６と、第１、第２の親機側映像伝送スイッチ４３ａ、４３ｂがオフ状態のとき、管理室親機５からの一斉放送データ等の信号の信号伝送路を形成し、親機ラインＬ４に送出するための第１、第２の信号伝送路形成回路４７ａ、４７ｂ（図３には、伝送路形成回路４７ａ、４７ｂ（４８ａ、４８ｂ）として表示されている）と、第１、第２の親機側映像伝送スイッチ４２ａ、４２ｂがオフ状態のとき、集合玄関機１からの映像信号に重畳される音声信号、又は、映像信号に重畳される制御信号および音声信号の信号伝送路を形成し、親機ラインＬ４に送出するための第１、第２の親機側制御伝送路形成回路４８ａ、４８ｂ（図３には、伝送路形成回路４７ａ、４７ｂ（４８ａ、４８ｂ）として表示されている）と、第１、第２の後段側映像伝送スイッチ４３ａ、４３ｂがオフ状態のとき、集合玄関機１からの映像信号に重畳される音声信号、又は、映像信号に重畳される制御信号および音声信号の信号伝送路を形成し、分岐器ラインＬ２に送出するための第１、第２の後段側制御伝送路形成回路４９ａ、４９ｂと、分岐器ラインＬ２が有するインピーダンスの整合を図り当該インピーダンスの乱れを抑えるための最後段側インピーダンス整合回路５０とを備えている。
【００２２】
ここで、分岐器制御回路４４は映像路制御信号受信回路４１、第１、第２の親機側映像伝送スイッチ４２ａ、４２ｂおよび第１、第２の後段側映像伝送スイッチ４３ａ、４３ｂに接続され、映像路制御信号受信回路４１には第１の親機ラインＬ４ａが接続されている。第１の親機側映像伝送スイッチ４２ａの第１の切替接点Ｐ１と第２の親機側映像伝送スイッチ４２ｂの第１の切替接点Ｐ１間には親機側インピーダンス整合回路４６が、第１の親機側映像伝送スイッチ４２ａの第２の切替接点Ｐ２には第１の伝送路形成回路４７ａの一方側および分岐ラインＬ２の一方側が、第１の親機側映像伝送スイッチ４２ａの共通接点Ｐ０には第１の伝送路形成回路４７ａの他方側および第２の親機ラインＬ４ｂの一方側が、第２の親機側映像伝送スイッチ４２ｂの第２の切替接点Ｐ２には第２の伝送路形成回路４７ｂの一方側および分岐ラインＬ２の他方側が、第２の親機側映像伝送スイッチ４２ｂの共通接点Ｐ０には第２の伝送路形成回路４７ｂの他方側および第２の親機ラインＬ４ｂの他方側が、第１の後段側映像伝送スイッチ４３ａの第２の切替接点Ｐ２と第２の後段側映像伝送スイッチ４３ｂの第２の切替接点Ｐ２間には後段側インピーダンス整合回路４５が、第１の後段側映像伝送スイッチ４３ａの第１の切替接点Ｐ１には第１の後段側制御伝送路形成回路４９ａの一方側および分岐ラインＬ２の一方側（前段側）が、第２の後段側映像伝送スイッチ４３ｂの第１の切替接点Ｐ１には第２の後段側制御伝送路形成回路４９ｂの一方側および分岐ラインＬ２の他方側（前段側）が、第１の後段側映像伝送スイッチ４３ａの共通接点Ｐ０には第１の後段側制御伝送路形成回路４９ａの他方側および最後段側インピーダンス整合回路５０の一方側が、第２の後段側映像伝送スイッチ４３ｂの共通接点Ｐ０には第２の後段側制御伝送路形成回路４９ｂの他方側および最後段側インピーダンス整合回路５０の他方側がそれぞれ接続されている。
【００２３】
図４は、複数の分岐器４ａ〜４ｚのうち、最後段の分岐器４ｚを除く分岐器４ａ〜４ｙの構成を示すブロック図を示している。なお、同図において図３と共通する部分には同一の符号を付して詳細な説明を省略する。
【００２４】
図４において、最後段の分岐器４ｚを除く複数の分岐器４ａ〜４ｙは、それぞれ同様の構成とされ、それぞれ、図３に示す最後段側インピーダンス整合回路５０に代えて、第１の後段側映像伝送スイッチ４３ａの共通接点Ｐ０に分岐ラインＬ２の一方側（後段側）が、第２の後段側映像伝送スイッチ４３ｂの共通接点Ｐ０に分岐ラインＬ２の他方側（後段側）がそれぞれ接続されている。
【００２５】
次に、このように構成された本発明の集合住宅インターホンシステムの動作について説明する。
【００２６】
図１〜図４において、先ず、待ち受け状態においては、第１、第２の親機側映像伝送スイッチ４２ａ、４２ｂがオフ状態に、第１、第２の後段側映像伝送スイッチ４３ａ、４３ｂがオン状態に切り替えられている。
【００２７】
この状態において、来訪者が例えば最後段分岐器４ｚより前段側の分岐器（以下「前段分岐器４ｙ（図１参照）」という。）に接続されたインターホン親機２（以下「前段インターホン親機２ｙ（図１参照）」という。）を呼び出すために、集合玄関機１の呼出操作部１２で前段インターホン親機２ｙの部屋番号を入力すると、呼出信号が集合玄関機ラインＬ１、制御機３、分岐ラインＬ２、前段分岐器４ｙの第１、第２の伝送路形成回路４７ａ、４７ｂ、第２の親機ラインＬ４ｂおよび前段インターホン親機２ｙのフィルタ回路２７を介して親機ＣＰＵ２９へ伝送される。そして、この呼出信号が前段インターホン親機２ｙの親機ＣＰＵ２９で検出されると、当該親機ＣＰＵ２９の制御により、前段インターホン親機２ｙの親機スピーカ２５から呼出音が放音されると共に前段インターホン親機２ｙの映像制御データ生成回路２１、復調回路２２およびモニタ２３が能動とされる。
【００２８】
これと共に、前段インターホン親機２ｙの映像制御データ生成回路２１で生成された映像出画制御信号が第１の親機ラインＬ４ａおよび前段分岐器４ｙの映像路制御信号受信回路４１を介して分岐器制御回路４４へ伝送される。そして、当該映像出画制御信号が前段インターホン親機２ｙの分岐器制御回路４４で検出されると、当該分岐器制御回路４４の制御により、前段分岐器４ｙの第１、第２の親機側映像伝送スイッチ４２ａ、４２ｂが破線で示すようにオン状態に、第１、第２の後段側映像伝送スイッチ４３ａ、４３ｂが破線で示すようにオフ状態に切り替えられる。これにより、前段分岐器４ｙと前段インターホン親機２ｙが前段分岐器４ｙの第１、第２の親機側映像伝送スイッチ４２ａ、４２ｂおよび第２の親機ラインＬ４ｂを介して直接接続されることになる。また、前段分岐器４ｙより後段側の分岐器ラインＬ２が切り離されると共に、第１の後段側映像伝送スイッチ４３ａの共通接点Ｐ０と第２の後段側映像伝送スイッチ４３ｂの共通接点Ｐ０間に後段側インピーダンス整合回路４５が接続されることになる。すなわち、第１、第２の後段制御伝送路形成回路４９ａ、４９ｂを介して後段側インピーダンス整合回路４５が分岐ラインＬ２に接続されることになる。
【００２９】
また、これと共に、集合玄関機１のカメラ１１によって撮像された来訪者の映像信号が集合玄関機ラインＬ１、制御機３、分岐ラインＬ２、前段分岐器４ｙ、第２の親機ラインＬ４ｂおよび前段インターホン親機２ｙの復調回路２２を介してモニタ２３へ伝送される。これにより、来訪者の映像が前段インターホン親機２ｙのモニタ２３に表示される。
【００３０】
ここで、住戸内の居住者が来訪者と通話するため、前段インターホン親機２ｙの操作部２８としての通話ボタンを押下すると、前段インターホン親機２ｙの通話回路２６が能動とされ、前段インターホン親機２ｙの親機スピーカ２５および親機マイク２４と、集合玄関機１のスピーカ１４およびマイク１３間に通話路が形成され、これにより、来訪者と住戸内の居住者間で通話することが可能になる。
【００３１】
一方、住戸内の居住者が終話するため、前段インターホン親機２ｙの操作部としての通話ボタンを再び操作すると、第１、第２の親機側映像伝送スイッチ４２ａ、４２ｂがオフ状態に、第１、第２の後段側映像伝送スイッチ４３ａ、４３ｂがオン状態に切り替えられて、前段インターホン親機２ｙおよび前段分岐器４ｙが待ち受け状態に戻る。
【００３２】
なお、最前段の分岐器４（以下「最前段分岐器４ａ（図１参照）」という。）に接続されたインターホン親機２（以下「最前段インターホン親機２ａ（図１参照）」という。）を呼び出す場合の動作は、前段インターホン親機２ｙを呼び出す場合の動作と同様であることから詳細な説明を省略する。
【００３３】
次に、最後段分岐器４ｚに接続されたインターホン親機２（以下「最後段インターホン親機２ｚ（図１参照）」という。）を呼び出す場合の動作について説明する。
【００３４】
この場合は、最後段側インピーダンス整合回路５０の動作を除いて、前段インターホン親機２ｙを呼び出す場合の動作と同様の動作をする。
【００３５】
具体的には、集合玄関機１の呼出操作部１２で最後段インターホン親機２ｚの部屋番号を入力すると、呼出信号が集合玄関機ラインＬ１、制御機３、分岐ラインＬ２、最後段分岐器４ｚの第１、第２の伝送路形成回路４７ａ、４７ｂ、第２の親機ラインＬ４ｂおよび最後段インターホン親機２ｚのフィルタ回路２７を介して親機ＣＰＵ２９へ伝送される。  
【００３６】
そして、この呼出信号が最後段インターホン親機２ｚの親機ＣＰＵ２９で検出されると、前述の前段インターホン親機２ｙと同様に、当該親機ＣＰＵ２９の制御により、最後段インターホン親機２ｚの親機スピーカ２５から呼出音が放音されると共に最後段インターホン親機２ｚの映像制御データ生成回路２１、復調回路２２およびモニタ２３が能動とされる。
【００３７】
これと共に、最後段インターホン親機２ｚの映像制御データ生成回路２１で生成された映像出画制御信号が第１の親機ラインＬ４ａおよび最後段分岐器４ｚの映像路制御信号受信回路４１を介して分岐器制御回路４４へ伝送される。そして、当該映像出画制御信号が最後段分岐器４ｚの分岐器制御回路４４で検出されると、当該分岐器制御回路４４の制御により、最後段分岐器４ｚの第１、第２の親機側映像伝送スイッチ４２ａ、４２ｂが破線で示すようにオン状態に、第１、第２の後段側映像伝送スイッチ４３ａ、４３ｂが破線で示すようにオフ状態に切り替えられる。これにより、後段分岐器４ｚと後段インターホン親機２ｚが後段分岐器４ｚの第１、第２の親機側映像伝送スイッチ４２ａ、４２ｂおよび第２の親機ラインＬ４ｂを介して直接接続されることになる。また、後段分岐器４ｚの第１の後段側映像伝送スイッチ４３ａの共通接点Ｐ０と第２の後段側映像伝送スイッチ４３ｂの共通接点Ｐ０間に後段分岐器４ｚの最後段側インピーダンス整合回路５０が接続されることになる。すなわち、第１、第２の後段制御伝送路形成回路４９ａ、４９ｂを介して最後段側インピーダンス整合回路５０が分岐ラインＬ２の最後段側に接続されることになる。
【００３８】
また、これと共に、集合玄関機１のカメラ１１によって撮像された来訪者の映像信号が集合玄関機ラインＬ１、制御機３、分岐ラインＬ２、最後段分岐器４ｚ、第２の親機ラインＬ４ｂおよび最後段インターホン親機２ｚの復調回路２２を介してモニタ２３へ伝送される。これにより、来訪者の映像が最後段インターホン親機２ｚのモニタ２３に表示される。
【００３９】
ここで、住戸内の居住者が来訪者と通話するため、最後段インターホン親機２ｚの操作部２８としての通話ボタンを押下すると、最後段インターホン親機２ｚの通話回路２６が能動とされ、最後段インターホン親機２ｚの親機スピーカ２５および親機マイク２４と、集合玄関機１のスピーカ１４およびマイク１３間に通話路が形成され、これにより、来訪者と住戸内の居住者間で通話することが可能になる。
【００４０】
一方、住戸内の居住者が終話するため、最後段インターホン親機２ｚの操作部２８としての通話ボタンを再び押下すると、第１、第２の親機側映像伝送スイッチ４２ａ、４２ｂがオフ状態に、第１、第２の後段側映像伝送スイッチ４３ａ、４３ｂがオン状態に切り替えられて、最後段インターホン親機２ｚおよび最後段分岐器４ｚが待ち受け状態に戻る。
【００４１】
このような構成の集合住宅インターホンシステムにおいては、次のような効果がある。
【００４２】
第１に、インターホン親機２の映像制御データ生成回路２１で生成された映像出画制御信号が第１の親機ラインＬ４ａおよび分岐器４の映像路制御信号受信回路４１を介して分岐器制御回路４４へ伝送され、当該映像出画制御信号が分岐器４の分岐器制御回路４４で検出されると、当該分岐器制御回路４４の制御により、分岐器４の第１、第２の親機側映像伝送スイッチ４２ａ、４２ｂがオン状態に、第１、第２の後段側映像伝送スイッチ４３ａ、４３ｂがオフ状態に切り替えられるように構成されていることから、集合玄関機１から制御機３、分岐器ラインＬ２を経由して分岐器４に伝送されてくる映像信号を当該分岐器４に接続されたインターホン親機２に直接伝送することができる。また、当該分岐器より後段側の分岐器ラインＬ２が切り離されることから、当該分岐器より後段側の分岐器への映像信号の伝送を遮断することができる。
【００４３】
第２に、前述の第１、第２の後段側映像伝送スイッチ４３ａ、４３ｂによる分岐器ラインＬ２の切り離しにより、当該分岐器４より後段側の分岐器４の接続を遮断することができ、ひいては最後段側インピーダンス整合回路５０を切り離すことができることから、遮断された部位より後段側の分岐器ラインＬ２や、後段側に配置される分岐器４や最後段側インピーダンス整合回路５０等のすべての影響を受けなくすることができる。
【００４４】
第３に、集合玄関機１から制御機３、分岐器ラインＬ２を経由して分岐器４に伝送されてくる映像信号は、当該分岐器４の第１、第２の親機側映像伝送スイッチ４２ａ、４２ｂおよび第２の親機ラインＬ４ｂを介して当該分岐器４に接続されたインターホン親機に伝送されるところ、当該分岐器４に搭載された第１、第２の親機側映像伝送スイッチ４２ａ、４２ｂが、リレーなどの映像信号が減衰しにくい部品で構成されていることから、従来の分岐器よりも映像信号の減衰を抑えることができる。
【００４５】
第４に、映像信号は最前段分岐器４ａの後段側映像伝送スイッチ４３ａ、４３ｂを経由して最後段分岐器４ｚに伝送されるところ、各分岐器に搭載された後段側映像伝送スイッチ４３ａ、４３ｂが、リレーなどの映像信号が減衰しにくい部品で構成されていることから、従来の分岐器よりも映像信号の減衰を抑えることができる。
「実施例２」
この実施例においては、図３および図４に示すように、各分岐器４は、第１、第２の後段側映像伝送スイッチ４３ａ、４３ｂがオフ状態のとき、分岐器ラインＬ２が有するインピーダンスの整合を図り当該インピーダンスの乱れを抑えるための後段側インピーダンス整合回路４５を備えている。
【００４６】
ここで、第１の後段側映像伝送スイッチ４３ａの第２の切替接点Ｐ２と第２の後段側映像伝送スイッチ４３ｂの第２の切替接点Ｐ２間に後段側インピーダンス整合回路４５が接続されている。
【００４７】
この実施例においては、第１、第２の後段側映像伝送スイッチ４３ａ、４３ｂがオフ状態とされて分岐器ラインＬ２が開放されても、遮断後の分岐器ラインＬ２に後段側インピーダンス整合回路４５を接続することができる。従って、この実施例によれば、第１、第２の後段側映像伝送スイッチ４３ａ、４３ｂがオフ状態とされて後段側に対する映像信号の伝送が遮断され、遮断後の分岐器ラインＬ２が開放されても、分岐器ラインＬ２が有するインピーダンスの整合を図り当該インピーダンスの乱れを抑えることができる。
「実施例３」
この実施例においては、図３および図４に示すように、各分岐器４は、第１、第２の親機側映像伝送スイッチ４２ａ、４２ｂがオフ状態のとき、親機ラインＬ４が有するインピーダンスの整合を図り当該インピーダンスの乱れを抑えるための親機側インピーダンス整合回路４６を備えている。
【００４８】
ここで、第１の親機側映像伝送スイッチ４２ａの第１の切替接点Ｐ１と第２の親機側映像伝送スイッチ４２ｂの第１の切替接点Ｐ１間に親機側インピーダンス整合回路４６が接続されている。
【００４９】
この実施例においては、当該分岐器４の第１、第２の親機側映像伝送スイッチ４２ａ、４２ｂがオフ状態とされて第２の親機ラインＬ４ｂが開放されても、遮断後の第２の親機ラインＬ４ｂに親機側インピーダンス整合回路４６を接続することができる。従って、この実施例によれば、第１、第２の親機側映像伝送スイッチ４２ａ、４２ｂがオフ状態とされて第２の親機ラインＬ４ｂが開放されても、第２の親機ラインＬ４ｂが有するインピーダンスの整合を図り当該インピーダンスの乱れを抑えることができる。
「実施例４」
この実施例においては、図１に示すように、制御機３に集合住宅の管理室に設置される管理室親機５が接続されている。また、図３および図４に示すように、各分岐器４は、第１、第２の親機側映像伝送スイッチ４２ａ、４２ｂがオフ状態のとき、管理室親機５からの一斉放送データ等の信号の信号伝送路を形成し、親機ラインＬ４に送出するための第１、第２の伝送路形成回路４７ａ、４７ｂ（図３および図４には、伝送路形成回路４７ａ、４７ｂ（４８ａ、４８ｂ）として表示されている）を備えている。
【００５０】
ここで、第１の伝送路形成回路４７ａの一方側が第１の親機側映像伝送スイッチ４２ａの第２の切替接点Ｐ２に、第１の伝送路形成回路４７ａの他方側が第１の親機側映像伝送スイッチ４２ａの共通接点Ｐ０に接続されることで、第１の伝送路形成回路４７ａが第１の親機側映像伝送スイッチ４２ａに並列接続されている。また、第２の伝送路形成回路４７ｂの一方側が第２の親機側映像伝送スイッチ４２ｂの第２の切替接点Ｐ２に、第２の伝送路形成回路４７ｂの他方側が第２の親機側映像伝送スイッチ４２ｂの共通接点Ｐ０に接続されることで、第２の伝送路形成回路４７ｂが第２の親機側映像伝送スイッチ４２ｂに並列接続されている。
【００５１】
この実施例においては、第１、第２の伝送路形成回路４７ａ、４７ｂがそれぞれ第１、第２の親機側映像伝送スイッチ４２ａ、４２ｂに並列接続されていることから、第１、第２の親機側映像伝送スイッチ４２ａ、４２ｂがオフ状態のときでも、第１、第２の伝送路形成回路４７ａ、４７ｂを介して管理室親機５からの一斉放送データ等の信号を第２の親機ラインＬ４ｂに伝送することができる。
「実施例５」
この実施例においては、図３および図４に示すように、各分岐器４は、第１、第２の親機側映像伝送スイッチ４２ａ、４２ｂがオフ状態のとき、集合玄関機１からの映像信号に重畳される音声信号、又は、映像信号に重畳される制御信号および音声信号のそれぞれから映像信号をカットして音声信号、又は、音声信号および制御信号のみを伝送する信号伝送路を形成し、第２の親機ラインＬ４ｂに送出するための第１、第２の伝送路形成回路４８ａ、４８ｂを備えている。
【００５２】
ここで、第１の伝送路形成回路４８ａの一方側が第１の親機側映像伝送スイッチ４２ａの第２の切替接点Ｐ２に、第１の伝送路形成回路４８ａの他方側が第１の親機側映像伝送スイッチ４２ａの共通接点Ｐ０に接続されることで、第１の伝送路形成回路４８ａが第１の親機側映像伝送スイッチ４２ａに並列接続されている。また、第２の伝送路形成回路４８ａの一方側が第２の親機側映像伝送スイッチ４２ｂの第２の切替接点Ｐ２に、第２の伝送路形成回路４８ａの他方側が第２の親機側映像伝送スイッチ４２ｂの共通接点Ｐ０に接続されることで、第２の伝送路形成回路４８ａが第２の親機側映像伝送スイッチ４２ｂに並列接続されている。
【００５３】
この実施例においては、第１、第２の伝送路形成回路４８ａ、４８ｂが第１、第２の親機側映像伝送スイッチ４２ａ、４２ｂに並列接続されていることから、第１、第２の親機側映像伝送スイッチ４２ａ、４２ｂがオフ状態のときでも、第１、第２の伝送路形成回路４８ａ、４８ｂを介して集合玄関機１からの映像信号に重畳される音声信号、又は、映像信号に重畳される制御信号および音声信号を第２の親機ラインＬ４ｂに伝送することができる。
「実施例６」
この実施例においては、図３および図４に示すように、各分岐器４は、第１、第２の後段側映像伝送スイッチ４３ａ、４３ｂがオフ状態のとき、集合玄関機１からの映像信号に重畳される音声信号、又は、映像信号に重畳される制御信号および音声信号のそれぞれから映像信号をカットして音声信号、又は、音声信号および制御信号のみを伝送する信号伝送路を形成し、分岐器ラインＬ２に送出するための第１、第２の後段側制御伝送路形成回路４９ａ、４９ｂを備えている。
【００５４】
ここで、第１の後段側制御伝送路形成回路４９ａの一方側が第１の後段側映像伝送スイッチ４３ａの第１の切替接点Ｐ１に、第１の後段側制御伝送路形成回路４９ａの他方側が第１の後段側映像伝送スイッチ４３ａの共通接点Ｐ０に接続されることで、第１の後段側制御伝送路形成回路４９ａが第１の後段側映像伝送スイッチ４３ａに並列接続されている。また、第２の後段側制御伝送路形成回路４９ｂは、第２の後段側制御伝送路形成回路４９ｂの一方側が第２の後段側映像伝送スイッチ４３ｂの第１の切替接点Ｐ１に、第２の後段側制御伝送路形成回路４９ｂの他方側が第２の後段側映像伝送スイッチ４３ｂの共通接点Ｐ０に接続されることで、第２の後段側制御伝送路形成回路４９ｂが第２の後段側映像送スイッチ４３ｂに並列接続されている。
【００５５】
この実施例においては、第１、第２の後段側制御伝送路形成回路４９ａ、４９ｂが第１、第２の後段側映像伝送スイッチ４３ａ、４３ｂに並列接続されていることから、第１、第２の後段側映像伝送スイッチ４３ａ、４３ｂがオフ状態のときでも、集合玄関機１からの映像信号に重畳される音声信号、又は、映像信号に重畳される制御信号および音声信号を分岐器ラインＬ２に伝送することができる。
【００５６】
なお、以上の本発明の集合住宅インターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５７】
例えば、前述の実施例においては、第１、第２の親機側映像伝送スイッチ４２ａ、４２ｂおよび第１、第２の後段側映像伝送スイッチ４３ａ、４３ｂとして、リレーから成る部品を用いているが、半導体スイッチでも同じ効果が得られる。
【００５８】
また、前述の実施例においては、ハンズフリー通話を行うための親機マイクおよび親機スピーカを用いているが、親機マイクおよび親機スピーカを有する送受話器でも同じ効果が得られる。
【符号の説明】
【００５９】
１・・・集合玄関機
２（２ａ〜２ｚ）・・・インターホン親機
２１・・・映像制御データ生成回路
３・・・制御機
４（４ａ〜４ｚ）・・・分岐器
４２ａ、４２ｂ・・・第１、第２の親機側映像伝送スイッチ
４３ａ、４３ｂ・・・第１、第２の後段側映像伝送スイッチ
４４・・・分岐器制御回路
４５・・・後段側インピーダンス整合回路
４６・・・親機側インピーダンス整合回路
４７ａ、４７ｂ・・・第１、第２の信号伝送路形成回路（伝送路形成回路）
４８ａ、４８ｂ・・・第１、第２の親機側制御伝送路形成回路（伝送路形成回路）
４９ａ、４９ｂ・・・第１、第２の後段側制御伝送路形成回路
５・・・管理室親機
Ｌ２・・・分岐器ライン
Ｌ４・・・親機ライン
【図１】
0005675432.tif 000002
【図２】
0005675432.tif 000003
【図３】
0005675432.tif 000004
【図４】
0005675432.tif 000005